(57)【要約】【課題】本発明は顔保護ヘルメットを開示した。【解決手段】使用者が前へ転ぶ時に、第二スライダは右側の斜めブロックを押え、右側の斜めブロックは右側のスイッチを押え、右側のスイッチは駆動モーターを起動させて逆転させ、その時、硬い殻は使用者の額に反時計回りに回転して受ける衝撃を緩和し、それと同時に歯止めが逆回転して内ラチェットを回転連動させ、内ラチェットがカムを回転連動させ、カムがスライドボードを押え、スライドボードが下へスライドし、スライドボードはクッションを下へスライド連動させて面部を遮り、クッションは人の顔の形を合わせて保護する。【選択図】図１
2020147884.tif 000002
【特許請求の範囲】
【請求項１】
ヘルメットを含み、前記ヘルメットの内側には頭チャンバが設置されており、前記ヘルメットの外側には外へ開口する弓形スライド溝が設置されており、前記弓形スライド溝の内側端壁には第一弓形磁石が固定的に設置されており、前記第一弓形磁石の頂端には第一ストッパが固定的に設置されており、前記弓形スライド溝の外側には弓形ブロックがスライドできるように設置されており、前記弓形ブロックの内側端面には前記第一弓形磁石と互いに吸引する第二弓形磁石が固定的に設置されており、前記第二弓形磁石の内側端面には左右対称の第二ストッパが固定的に設置されており、前記弓形ブロックの外側には硬い殻が設置されており、前記硬い殻と前記弓形ブロックの外端面との間には緩和撥条が固定的に接続されており、前記ヘルメットの右側端壁の中には前記弓形スライド溝と連通する第一チャンバが設置されており、前記第一チャンバの前後端壁の間には第一回転軸が回転できるように設置されており、前記第一回転軸には転輪及び前記転輪の前側に位置する第一傘歯車が固定的に設置されており、前記転輪と前記第二弓形磁石とが摩擦によって係合されており、前記第一チャンバの左側端壁の中には駆動モーターが固定的に設置されており、前記駆動モーターの右端には第二回転軸が伝動できるように接続されており、前記第二回転軸には前記第一傘歯車と噛み合う第二傘歯車が固定的に設置されており、前記駆動モーターの左側端壁の中には第二チャンバが設置されており、前記駆動モーターの左端には第三回転軸が伝動できるように接続されており、前記第三回転軸には第一円盤が固定的に設置されており、前記第一円盤の左端には第四回転軸が回転できるように設置されており、前記第四回転軸には歯止めが固定的に設置されており、前記歯止めと前記第一円盤の左側端面の間には第一撥条が固定的に接続されており、前記第二チャンバの左側端壁には上下に貫通する第一スライド溝が設置されており、前記第一スライド溝と前記第二チャンバの間には第五回転軸が回転できるように設置されており、前記第二チャンバの中に位置する前記第五回転軸には第二円盤が固定的に設置されており、前記第二円盤の中には右へ開口する円形溝が設置されており、前記円形溝の内側には前記歯止めとラチェットによって係合される内ラチェットが固定的に設置されており、前記第一スライド溝の中の前記第五回転軸にはカムが固定的に設置されており、前記第一スライド溝の底端にはスライドボードがスライドできるように設置されており、前記スライドボードの右端にはクッションが固定的に設置されており、前記第一スライド溝の左側端壁には第二スライド溝が連通して設置されており、前記第二スライド溝の中には前記スライドボードと固定的に接続される第一スライダがスライドできるように設置されており、前記第一スライドブロックと前記第二スライド溝の底壁の間には第二撥条が固定的に接続される；駆動モーターが硬い殻を連動させて左右に偏心回転させ、硬い殻が反時計回りに偏心回転する時にクッションが下にスライドし、硬い殻が時計回りに偏心回転する時にクッションが第一スライド溝の中に位置することを特徴とする顔保護ヘルメット。
【請求項２】
前記第一チャンバの底壁の中には第三スライド溝が設置されており、前記第三スライド溝の中には第一磁石ブロックがスライドできるように設置されており、前記第一磁石ブロックと前記第三スライド溝の頂壁との間には第三ばね溝が固定的に接続され、前記第三スライド溝には第五スライド溝が左右に対称的に設置されており、前記第五スライド溝の中には金属ブロックがスライドできるように設置されており、前記第五スライド溝の末端には第二磁石ブロックが固定的に設置されており、前記金属ブロックの中には上下に貫通する貫通穴が設置されており、前記第三スライド溝の底壁には第六スライド溝が設置されており、前記第六スライド溝の中には第二スライダがスライドできるように設置されており、前記第二スライダと前記第六スライド溝の左側端壁との間には第四撥条が固定的に接続されており、前記第二スライダと前記第六スライド溝の右端壁との間には第五撥条が固定的に接続されており、前記第六スライド溝と前記第五スライド溝との間には第七スライド溝が連通して設置されており、前記第七スライド溝の頂端にはスイッチが固定的に設置されており、左右の二つの前記スイッチは前記駆動モーターの正逆回転を制御でき、前記第七スライダの中には斜めブロックがスライドできるように設置されており、前記第七スライド溝の左側端壁には第八スライド溝が連通して設置されており、前記第八スライド溝の中には前記斜めブロックと固定的に接続される第三スライダがスライドできるように設置されており、前記第三スライダと前記第八スライド溝の頂壁との間には第六撥条が固定的に接続される；第二スライダが斜めブロックを連動させて上にスライドさせ、左右二つの斜めブロックがそれぞれ左右二つのスイッチを押圧し、駆動モータを回転又は逆方向に回転させることを特徴とする請求項１に記載の顔保護ヘルメット。
【発明の詳細な説明】
【技術分野】
【０００１】
本発明は保護用品の分野を取り上げて、具体的には顔保護ヘルメットである。
【背景技術】
【０００２】
一般的なヘルメットは自身の内部の結構と材料の強度によって頭を保護するのであり、人の頭が受ける衝撃を有効的に緩和できず、同時に、前の顔を保護するために、単独な保護マスクをかぶるのは視線の妨げになり、大変不便である；そのため、顔保護ヘルメットを設計して前記問題を解決する必要がある。
【先行技術文献】
【特許文献】
【０００３】
【特許文献１】中国特許出願公開第105725335号明細書
【発明の概要】
【発明が解決しようとする課題】
【０００４】
本発明が解決すべきの技術問題は顔保護ヘルメットを提供し、上記現有技術の問題を解決できる。
【課題を解決するための手段】
【０００５】
本発明の顔保護ヘルメットは、ヘルメットを含み、前記ヘルメットの内側には頭チャンバが設置されており、前記ヘルメットの外側には外へ開口する弓形スライド溝が設置されており、前記弓形スライド溝の内側端壁には第一弓形磁石が固定的に設置されており、前記第一弓形磁石の頂端には第一ストッパが固定的に設置されており、前記弓形スライド溝の外側には弓形ブロックがスライドできるように設置されており、前記弓形ブロックの内側端面には前記第一弓形磁石と互いに吸引する第二弓形磁石が固定的に設置されており、前記第二弓形磁石の内側端面には左右対称の第二ストッパが固定的に設置されており、前記弓形ブロックの外側には硬い殻が設置されており、前記硬い殻と前記弓形ブロックの外端面との間には緩和撥条が固定的に接続されており、前記ヘルメットの右側端壁の中には前記弓形スライド溝と連通する第一チャンバが設置されており、前記第一チャンバの前後端壁の間には第一回転軸が回転できるように設置されており、前記第一回転軸には転輪及び前記転輪の前側に位置する第一傘歯車が固定的に設置されており、前記転輪と前記第二弓形磁石とが摩擦によって係合されており、前記第一チャンバの左側端壁の中には駆動モーターが固定的に設置されており、前記駆動モーターの右端には第二回転軸が伝動できるように接続されており、前記第二回転軸には前記第一傘歯車と噛み合う第二傘歯車が固定的に設置されており、前記駆動モーターの左側端壁の中には第二チャンバが設置されており、前記駆動モーターの左端には第三回転軸が伝動できるように接続されており、前記第三回転軸には第一円盤が固定的に設置されており、前記第一円盤の左端には第四回転軸が回転できるように設置されており、前記第四回転軸には歯止めが固定的に設置されており、前記歯止めと前記第一円盤の左側端面の間には第一撥条が固定的に接続されており、前記第二チャンバの左側端壁には上下に貫通する第一スライド溝が設置されており、前記第一スライド溝と前記第二チャンバの間には第五回転軸が回転できるように設置されており、前記第二チャンバの中に位置する前記第五回転軸には第二円盤が固定的に設置されており、前記第二円盤の中には右へ開口する円形溝が設置されており、前記円形溝の内側には前記歯止めとラチェットによって係合される内ラチェットが固定的に設置されており、前記第一スライド溝の中の前記第五回転軸にはカムが固定的に設置されており、前記第一スライド溝の底端にはスライドボードがスライドできるように設置されており、前記スライドボードの右端にはクッションが固定的に設置されており、前記第一スライド溝の左側端壁には第二スライド溝が連通して設置されており、前記第二スライド溝の中には前記スライドボードと固定的に接続される第一スライダがスライドできるように設置されており、前記第一スライドブロックと前記第二スライド溝の底壁の間には第二撥条が固定的に接続される。
【０００６】
更なる技術方案、前記第一チャンバの底壁の中には第三スライド溝が設置されており、前記第三スライド溝の中には第一磁石ブロックがスライドできるように設置されており、前記第一磁石ブロックと前記第三スライド溝の頂壁との間には第三ばね溝が固定的に接続され、前記第三スライド溝には第五スライド溝が左右に対称的に設置されており、前記第五スライド溝の中には金属ブロックがスライドできるように設置されており、前記第五スライド溝の末端には第二磁石ブロックが固定的に設置されており、前記金属ブロックの中には上下に貫通する貫通穴が設置されており、前記第三スライド溝の底壁には第六スライド溝が設置されており、前記第六スライド溝の中には第二スライダがスライドできるように設置されており、前記第二スライダと前記第六スライド溝の左側端壁との間には第四撥条が固定的に接続されており、前記第二スライダと前記第六スライド溝の右端壁との間には第五撥条が固定的に接続されており、前記第六スライド溝と前記第五スライド溝との間には第七スライド溝が連通して設置されており、前記第七スライド溝の頂端にはスイッチが固定的に設置されており、左右の二つの前記スイッチは前記駆動モーターの正逆回転を制御でき、前記第七スライダの中には斜めブロックがスライドできるように設置されており、前記第七スライド溝の左側端壁には第八スライド溝が連通して設置されており、前記第八スライド溝の中には前記斜めブロックと固定的に接続される第三スライダがスライドできるように設置されており、前記第三スライダと前記第八スライド溝の頂壁との間には第六撥条が固定的に接続される。
【発明の効果】
【０００７】
本発明の有益な効果は下記の通りである：
【０００８】
本発明の顔保護ヘルメットは反応が早いであり、保護性能書強いであり、安全で頼ましい；同時に、本発明の装置の修理コストが低く、部品換えが簡単であり、実用性が強い。
【図面の簡単な説明】
【０００９】
【図１】は本発明の顔保護ヘルメットの全体構成模式図であり；
【図２】は図１のＡの拡大構成模式図であり；
【図３】は図１のＢの拡大構成模式図である。
【図４】は図１のＣの拡大構成模式図であり；
【図５】は図１を使用する時に構造の変化後の略図である。
【発明を実施するための形態】
【００１０】
本説明書に公開されるいずれもの特徴、或いは公開されるいずれもの方法或いは過程中の順序は互いに排斥する特徴／或いは順序以外、いかなる方式によって組み合わせる。
【００１１】
以下は図１−５について本発明にを詳しく説明し、その中、便利に叙述するように、現在は後文に出る方位を下記の通りに規定する：後文に出る上下左右前後方向は図１本体の投影関係の上下左右前後方向と一致する。
【００１２】
図１−５が示すように、本発明の顔保護ヘルメットは、ヘルメット２２を含み、前記ヘルメット２２の内側には頭チャンバ２１が設置されており、前記ヘルメット２２の外側には外へ開口する弓形スライド溝２４が設置されており、前記弓形スライド溝２４の内側端壁には第一弓形磁石２３が固定的に設置されており、前記第一弓形磁石２３の頂端には第一ストッパ３６が固定的に設置されており、前記弓形スライド溝２４の外側には弓形ブロック２７がスライドできるように設置されており、前記弓形ブロック２７の内側端面には前記第一弓形磁石２３と互いに吸引する第二弓形磁石２６が固定的に設置されており、前記第二弓形磁石２６の内側端面には左右対称の第二ストッパ２５が固定的に設置されており、前記弓形ブロック２７の外側には硬い殻２９が設置されており、前記硬い殻２９と前記弓形ブロック２７の外端面との間には緩和撥条２８が固定的に接続されており、前記ヘルメット２２の右側端壁の中には前記弓形スライド溝２４と連通する第一チャンバ３０が設置されており、前記第一チャンバ３０の前後端壁の間には第一回転軸３３が回転できるように設置されており、前記第一回転軸３３には転輪３１及び前記転輪３１の前側に位置する第一傘歯車３２が固定的に設置されており、前記転輪３１と前記第二弓形磁石２６とが摩擦によって係合されており、前記第一チャンバ３０の左側端壁の中には駆動モーター４２が固定的に設置されており、前記駆動モーター４２の右端には第二回転軸３５が伝動できるように接続されており、前記第二回転軸３５には前記第一傘歯車３２と噛み合う第二傘歯車３４が固定的に設置されており、前記駆動モーター４２の左側端壁の中には第二チャンバ３７が設置されており、前記駆動モーター４２の左端には第三回転軸４３が伝動できるように接続されており、前記第三回転軸４３には第一円盤４４が固定的に設置されており、前記第一円盤４４の左端には第四回転軸４６が回転できるように設置されており、前記第四回転軸４６には歯止め４７が固定的に設置されており、前記歯止め４７と前記第一円盤４４の左側端面の間には第一撥条４５が固定的に接続されており、前記第二チャンバ３７の左側端壁には上下に貫通する第一スライド溝１３が設置されており、前記第一スライド溝１３と前記第二チャンバ３７の間には第五回転軸３９が回転できるように設置されており、前記第二チャンバ３７の中に位置する前記第五回転軸３９には第二円盤３８が固定的に設置されており、前記第二円盤３８の中には右へ開口する円形溝４０が設置されており、前記円形溝４０の内側には前記歯止め４７とラチェットによって係合される内ラチェット４１が固定的に設置されており、前記第一スライド溝１３の中の前記第五回転軸３９にはカム１４が固定的に設置されており、前記第一スライド溝１３の底端にはスライドボード１５がスライドできるように設置されており、前記スライドボード１５の右端にはクッション２０が固定的に設置されており、前記第一スライド溝１３の左側端壁には第二スライド溝１８が連通して設置されており、前記第二スライド溝１８の中には前記スライドボード１５と固定的に接続される第一スライダ１７がスライドできるように設置されており、前記第一スライドブロック１７と前記第二スライド溝１８の底壁の間には第二撥条１９が固定的に接続される。
【００１３】
有益なように、前記第一チャンバ３０の底壁の中には第三スライド溝６３が設置されており、前記第三スライド溝６３の中には第一磁石ブロック６２がスライドできるように設置されており、前記第一磁石ブロック６２と前記第三スライド溝６３の頂壁との間には第三ばね溝６４が固定的に接続され、前記第三スライド溝６３には第五スライド溝５３が左右に対称的に設置されており、前記第五スライド溝５３の中には金属ブロック５１がスライドできるように設置されており、前記第五スライド溝５３の末端には第二磁石ブロック５０が固定的に設置されており、前記金属ブロック５１の中には上下に貫通する貫通穴５２が設置されており、前記第三スライド溝６３の底壁には第六スライド溝５５が設置されており、前記第六スライド溝５５の中には第二スライダ５８がスライドできるように設置されており、前記第二スライダ５８と前記第六スライド溝５５の左側端壁との間には第四撥条５６が固定的に接続されており、前記第二スライダ５８と前記第六スライド溝５５の右端壁との間には第五撥条５７が固定的に接続されており、前記第六スライド溝５５と前記第五スライド溝５３との間には第七スライド溝４９が連通して設置されており、前記第七スライド溝４９の頂端にはスイッチ４８が固定的に設置されており、左右の二つの前記スイッチ４８は前記駆動モーター４２の正逆回転を制御でき、前記第七スライダ４９の中には斜めブロック５４がスライドできるように設置されており、前記第七スライド溝４９の左側端壁には第八スライド溝６０が連通して設置されており、前記第八スライド溝６０の中には前記斜めブロック５４と固定的に接続される第三スライダ５９がスライドできるように設置されており、前記第三スライダ５９と前記第八スライド溝６０の頂壁との間には第六撥条６１が固定的に接続される。
【００１４】
これから、付図１−５及び上記に説明した本願発明の顔保護ヘルメットの具体的な構造を参考してその使い方を詳しく紹介する：
【００１５】
まず、初期状態の時、第二スライダ５８が二つの斜めブロック５４の間に位置し、第一磁石ブロック６２は金属ブロック５１を吸引しない；
【００１６】
使用者が後へ転んでしまう時、第二スライダ５８が慣性によって左端の斜めブロック５４を押え、斜めブロック５４が上へスライドでき、それと同時に、後へ転ぶ状況に伴って下への加速度が発生し、第一磁石ブロック６５が慣性によって上へスライドし、第一磁石ブロック６２が金属ブロック５１を吸引し、金属ブロック５１は第一磁石ブロック６２に近づき貫通穴５２を第七スライド溝４９と連通させ、その時、斜めブロック５４は上へスライドして左側のスイッチ４８を押え、左側のスイッチ４８は駆動モーター４２を起動させて正回転させ、駆動モーター４２が正回転する時に、歯止め４７が正回転して内ラチェット４１を回転連動させなく、クッション２０が下へスライドして顔を遮らなく、駆動モーター４２が第二傘歯車３４を回転連動させ、第二傘歯車３４が第一傘歯車３２を回転連動させ、第一傘歯車３２が転輪３１を回転連動させ、転輪３１は第二弓形磁石２６を時計回りに回転連動させ、第二弓形磁石２６は硬い殻２９を使用者の後頭に時計回りに回転連動させ、転ぶ時に後頭が受ける衝撃を緩和する；
【００１７】
使用者が前へ転ぶ時に、第二スライダ５８は右側の斜めブロック５４を押え、右側の斜めブロック５４は右側のスイッチ４８を押え、右側のスイッチ４８は駆動モーター４２を起動させて逆転させ、その時、硬い殻２９は使用者の額に反時計回りに回転して受ける衝撃を緩和し、それと同時に歯止め４７が逆回転して内ラチェット４１を回転連動させ、内ラチェット４１がカム１４を回転連動させ、カム１４がスライドボード１５を押え、スライドボード１５が下へスライドし、スライドボード１５はクッション２０を下へスライド連動させて面部を遮り、クッション２０は人の顔の形を合わせて保護する。
【００１８】
以上により、本発明の顔保護ヘルメットは反応が早いであり、保護性能書強いであり、安全で頼ましい；同時に、本発明の装置の修理コストが低く、部品換えが簡単であり、実用性が強い。
【図１】
2020147884.tif 000003
【図２】
2020147884.tif 000004
【図３】
2020147884.tif 000005
【図４】
2020147884.tif 000006
【図５】
2020147884.tif 000007
【手続補正書】
【提出日】令和1年7月15日(2019.7.15)
【手続補正１】
【補正対象書類名】特許請求の範囲
【補正対象項目名】全文
【補正方法】変更
【補正の内容】
【特許請求の範囲】
【請求項１】
ヘルメットを含み、前記ヘルメットの内側には頭チャンバが設置されており、前記ヘルメットの外側には外へ開口する弓形スライド溝が設置されており、前記弓形スライド溝の内側端壁には第一弓形磁石が固定的に設置されており、前記第一弓形磁石の頂端には第一ストッパが固定的に設置されており、前記弓形スライド溝の外側には弓形ブロックがスライドできるように設置されており、前記弓形ブロックの内側端面には前記第一弓形磁石と互いに吸引する第二弓形磁石が固定的に設置されており、前記第二弓形磁石の内側端面の左右両端には第二ストッパがそれぞれ固定的に設置されており、前記弓形ブロックの外側には硬い殻が設置されており、前記硬い殻と前記弓形ブロックの外端面との間には緩和撥条が固定的に接続されており、前記ヘルメットの右側端壁の中には前記弓形スライド溝と連通する第一チャンバが設置されており、前記第一チャンバの前後端壁の間には第一回転軸が回転できるように設置されており、前記第一回転軸には転輪及び前記転輪の前側に位置する第一傘歯車が固定的に設置されており、前記転輪と前記第二弓形磁石とが摩擦によって係合されており、前記第一チャンバの左側端壁の中には駆動モーターが固定的に設置されており、前記駆動モーターの右端には第二回転軸が伝動できるように接続されており、前記第二回転軸には前記第一傘歯車と噛み合う第二傘歯車が固定的に設置されており、前記駆動モーターの左側において前記ヘルメットの中には第二チャンバが設置されており、前記駆動モーターの左端には第三回転軸が伝動できるように接続されており、前記第三回転軸には第一円盤が固定的に設置されており、前記第一円盤の左端には第四回転軸が回転できるように設置されており、前記第四回転軸には歯止めが固定的に設置されており、前記歯止めと前記第一円盤の左側端面の間には第一撥条が固定的に接続されており、前記ヘルメットの中には前記第二チャンバの左側に位置している上下に貫通している第一スライド溝が設置されており、前記第一スライド溝と前記第二チャンバの間には第五回転軸が回転できるように設置されており、前記第二チャンバの中に位置する前記第五回転軸には第二円盤が固定的に設置されており、前記第二円盤の中には右へ開口する円形溝が設置されており、前記円形溝の内側には前記歯止めとラチェットによって係合される内ラチェットが固定的に設置されており、前記第一スライド溝の中の前記第五回転軸にはカムが固定的に設置されており、前記第一スライド溝の底端にはスライドボードがスライドできるように設置されており、前記スライドボードの右端にはクッションが固定的に設置されており、前記第一スライド溝の左側端壁には第二スライド溝が連通して設置されており、前記第二スライド溝の中には前記スライドボードと固定的に接続される第一スライダがスライドできるように設置されており、前記第一スライドブロックと前記第二スライド溝の底壁の間には第二撥条が固定的に接続され、
前記第一チャンバの底壁の中には上下に伸びている第三スライド溝が設置されており、前記第三スライド溝の中には第一磁石ブロックがスライドできるように設置されており、前記第一磁石ブロックと前記第三スライド溝の頂壁との間には第三撥条が固定的に接続され、前記第三スライド溝には上下に伸びている第五スライド溝が左右に対称的に連通するように設置されており、前記第五スライド溝の中には金属ブロックがスライドできるように設置されており、前記第五スライド溝の末端には第二磁石ブロックが固定的に設置されており、前記金属ブロックの中には上下に貫通する貫通穴が設置されており、前記第三スライド溝の底壁の中には左右に伸びている第六スライド溝が設置されており、前記第六スライド溝の中には第二スライダがスライドできるように設置されており、前記第二スライダと前記第六スライド溝の左側端壁との間には第四撥条が固定的に接続されており、前記第二スライダと前記第六スライド溝の右端壁との間には第五撥条が固定的に接続されており、前記第六スライド溝と前記第五スライド溝との間には上下に伸びている第七スライド溝が連通して設置されており、前記第七スライド溝の頂端にはスイッチが固定的に設置されており、左右の二つの前記スイッチは前記駆動モーターの正逆回転を制御でき、前記第七スライド溝の中には斜めブロックがスライドできるように設置されており、前記第七スライド溝において前記第三スライド溝から離れている側の内壁の中には上下に伸びている第八スライド溝が設置されており、前記第八スライド溝の中には前記斜めブロックと固定的に接続される第三スライダがスライドできるように設置されており、前記第三スライダと前記第八スライド溝の頂壁との間には第六撥条が固定的に接続される；第二スライダが斜めブロックを連動させて上にスライドさせ、左右二つの斜めブロックがそれぞれ左右二つのスイッチを押圧し、駆動モータを回転又は逆方向に回転させ、
使用者が後へ転んでしまう時、第二スライダが慣性によって左端の斜めブロックを押え、斜めブロックが上へスライドでき、それと同時に、後へ転ぶ状況に伴って下への加速度が発生し、第一磁石ブロックが慣性によって上へスライドし、第一磁石ブロックが金属ブロックを吸引し、金属ブロックは第一磁石ブロックに近づき貫通穴を第七スライド溝と連通させ、その時、斜めブロックは上へスライドして左側のスイッチを押え、左側のスイッチは駆動モーターを起動させて正回転させ、駆動モーターが正回転する時に、歯止めが正回転して内ラチェットを回転連動させなく、クッションが下へスライドして顔を遮らなく、駆動モーターが第二傘歯車を回転連動させ、第二傘歯車が第一傘歯車を回転連動させ、第一傘歯車が転輪を回転連動させ、転輪は第二弓形磁石を時計回りに回転連動させ、第二弓形磁石は硬い殻を使用者の後頭に時計回りに回転連動させ、転ぶ時に後頭が受ける衝撃を緩和し、
使用者が前へ転ぶ時に、第二スライダは右側の斜めブロックを押え、右側の斜めブロックは右側のスイッチを押え、右側のスイッチは駆動モーターを起動させて逆転させ、その時、硬い殻は使用者の額に反時計回りに回転して受ける衝撃を緩和し、それと同時に歯止めが逆回転して内ラチェットを回転連動させ、内ラチェットがカムを回転連動させ、カムがスライドボードを押え、スライドボードが下へスライドし、スライドボードはクッションを下へスライド連動させて面部を遮り、クッションは人の顔の形を合わせて保護することを特徴とする顔保護ヘルメット。
【手続補正２】
【補正対象書類名】明細書
【補正対象項目名】全文
【補正方法】変更
【補正の内容】
【発明の詳細な説明】
【技術分野】
【０００１】
本発明は保護用品の分野を取り上げて、具体的には顔保護ヘルメットである。
【背景技術】
【０００２】
一般的なヘルメットは自身の内部の結構と材料の強度によって頭を保護するのであり、人の頭が受ける衝撃を有効的に緩和できず、同時に、前の顔を保護するために、単独な保護マスクをかぶるのは視線の妨げになり、大変不便である；そのため、顔保護ヘルメットを設計して前記問題を解決する必要がある。
【先行技術文献】
【特許文献】
【０００３】
【特許文献１】中国特許出願公開第１０５７２５３３５号明細書
【発明の概要】
【発明が解決しようとする課題】
【０００４】
本発明が解決すべきの技術問題は顔保護ヘルメットを提供し、上記現有技術の問題を解決できる。
【課題を解決するための手段】
【０００５】
本発明の顔保護ヘルメットは、ヘルメットを含み、前記ヘルメットの内側には頭チャンバが設置されており、前記ヘルメットの外側には外へ開口する弓形スライド溝が設置されており、前記弓形スライド溝の内側端壁には第一弓形磁石が固定的に設置されており、前記第一弓形磁石の頂端には第一ストッパが固定的に設置されており、前記弓形スライド溝の外側には弓形ブロックがスライドできるように設置されており、前記弓形ブロックの内側端面には前記第一弓形磁石と互いに吸引する第二弓形磁石が固定的に設置されており、前記第二弓形磁石の内側端面の左右両端には第二ストッパがそれぞれ固定的に設置されており、前記弓形ブロックの外側には硬い殻が設置されており、前記硬い殻と前記弓形ブロックの外端面との間には緩和撥条が固定的に接続されており、前記ヘルメットの右側端壁の中には前記弓形スライド溝と連通する第一チャンバが設置されており、前記第一チャンバの前後端壁の間には第一回転軸が回転できるように設置されており、前記第一回転軸には転輪及び前記転輪の前側に位置する第一傘歯車が固定的に設置されており、前記転輪と前記第二弓形磁石とが摩擦によって係合されており、前記第一チャンバの左側端壁の中には駆動モーターが固定的に設置されており、前記駆動モーターの右端には第二回転軸が伝動できるように接続されており、前記第二回転軸には前記第一傘歯車と噛み合う第二傘歯車が固定的に設置されており、前記駆動モーターの左側において前記ヘルメットの中には第二チャンバが設置されており、前記駆動モーターの左端には第三回転軸が伝動できるように接続されており、前記第三回転軸には第一円盤が固定的に設置されており、前記第一円盤の左端には第四回転軸が回転できるように設置されており、前記第四回転軸には歯止めが固定的に設置されており、前記歯止めと前記第一円盤の左側端面の間には第一撥条が固定的に接続されており、前記ヘルメットの中には前記第二チャンバの左側に位置している上下に貫通している第一スライド溝が設置されており、前記第一スライド溝と前記第二チャンバの間には第五回転軸が回転できるように設置されており、前記第二チャンバの中に位置する前記第五回転軸には第二円盤が固定的に設置されており、前記第二円盤の中には右へ開口する円形溝が設置されており、前記円形溝の内側には前記歯止めとラチェットによって係合される内ラチェットが固定的に設置されており、前記第一スライド溝の中の前記第五回転軸にはカムが固定的に設置されており、前記第一スライド溝の底端にはスライドボードがスライドできるように設置されており、前記スライドボードの右端にはクッションが固定的に設置されており、前記第一スライド溝の左側端壁には第二スライド溝が連通して設置されており、前記第二スライド溝の中には前記スライドボードと固定的に接続される第一スライダがスライドできるように設置されており、前記第一スライドブロックと前記第二スライド溝の底壁の間には第二撥条が固定的に接続される。
【０００６】
更なる技術方案、前記第一チャンバの底壁の中には上下に伸びている第三スライド溝が設置されており、前記第三スライド溝の中には第一磁石ブロックがスライドできるように設置されており、前記第一磁石ブロックと前記第三スライド溝の頂壁との間には第三撥条が固定的に接続され、前記第三スライド溝には上下に伸びている第五スライド溝が左右に対称的に連通するように設置されており、前記第五スライド溝の中には金属ブロックがスライドできるように設置されており、前記第五スライド溝の末端には第二磁石ブロックが固定的に設置されており、前記金属ブロックの中には上下に貫通する貫通穴が設置されており、前記第三スライド溝の底壁の中には左右に伸びている第六スライド溝が設置されており、前記第六スライド溝の中には第二スライダがスライドできるように設置されており、前記第二スライダと前記第六スライド溝の左側端壁との間には第四撥条が固定的に接続されており、前記第二スライダと前記第六スライド溝の右端壁との間には第五撥条が固定的に接続されており、前記第六スライド溝と前記第五スライド溝との間には上下に伸びている第七スライド溝が連通して設置されており、前記第七スライド溝の頂端にはスイッチが固定的に設置されており、左右の二つの前記スイッチは前記駆動モーターの正逆回転を制御でき、前記第七スライド溝の中には斜めブロックがスライドできるように設置されており、前記第七スライド溝において前記第三スライド溝から離れている側の内壁の中には上下に伸びている第八スライド溝が設置されており、前記第八スライド溝の中には前記斜めブロックと固定的に接続される第三スライダがスライドできるように設置されており、前記第三スライダと前記第八スライド溝の頂壁との間には第六撥条が固定的に接続される。
【発明の効果】
【０００７】
本発明の有益な効果は下記の通りである：
【０００８】
本発明の顔保護ヘルメットは反応が早いであり、保護性能書強いであり、安全で頼ましい；同時に、本発明の装置の修理コストが低く、部品換えが簡単であり、実用性が強い。
【図面の簡単な説明】
【０００９】
【図１】は本発明の顔保護ヘルメットの全体構成模式図であり；
【図２】は図１のＡの拡大構成模式図であり；
【図３】は図１のＢの拡大構成模式図である。
【図４】は図１のＣの拡大構成模式図であり；
【図５】は図１を使用する時に構造の変化後の略図である。
【発明を実施するための形態】
【００１０】
本説明書に公開されるいずれもの特徴、或いは公開されるいずれもの方法或いは過程中の順序は互いに排斥する特徴／或いは順序以外、いかなる方式によって組み合わせる。
【００１１】
以下は図１−５について本発明にを詳しく説明し、その中、便利に叙述するように、現在は後文に出る方位を下記の通りに規定する：後文に出る上下左右前後方向は図１本体の投影関係の上下左右前後方向と一致する。
【００１２】
図１−５が示すように、本発明の顔保護ヘルメットは、ヘルメット２２を含み、前記ヘルメット２２の内側には頭チャンバ２１が設置されており、前記ヘルメット２２の外側には外へ開口する弓形スライド溝２４が設置されており、前記弓形スライド溝２４の内側端壁には第一弓形磁石２３が固定的に設置されており、前記第一弓形磁石２３の頂端には第一ストッパ３６が固定的に設置されており、前記弓形スライド溝２４の外側には弓形ブロック２７がスライドできるように設置されており、前記弓形ブロック２７の内側端面には前記第一弓形磁石２３と互いに吸引する第二弓形磁石２６が固定的に設置されており、前記第二弓形磁石２６の内側端面の左右両端には第二ストッパ２５がそれぞれ固定的に設置されており、前記弓形ブロック２７の外側には硬い殻２９が設置されており、前記硬い殻２９と前記弓形ブロック２７の外端面との間には緩和撥条２８が固定的に接続されており、前記ヘルメット２２の右側端壁の中には前記弓形スライド溝２４と連通する第一チャンバ３０が設置されており、前記第一チャンバ３０の前後端壁の間には第一回転軸３３が回転できるように設置されており、前記第一回転軸３３には転輪３１及び前記転輪３１の前側に位置する第一傘歯車３２が固定的に設置されており、前記転輪３１と前記第二弓形磁石２６とが摩擦によって係合されており、前記第一チャンバ３０の左側端壁の中には駆動モーター４２が固定的に設置されており、前記駆動モーター４２の右端には第二回転軸３５が伝動できるように接続されており、前記第二回転軸３５には前記第一傘歯車３２と噛み合う第二傘歯車３４が固定的に設置されており、前記駆動モーター４２の左側において前記ヘルメットの中には第二チャンバ３７が設置されており、前記駆動モーター４２の左端には第三回転軸４３が伝動できるように接続されており、前記第三回転軸４３には第一円盤４４が固定的に設置されており、前記第一円盤４４の左端には第四回転軸４６が回転できるように設置されており、前記第四回転軸４６には歯止め４７が固定的に設置されており、前記歯止め４７と前記第一円盤４４の左側端面の間には第一撥条４５が固定的に接続されており、前記ヘルメット２２の中には前記第二チャンバ３７の左側に位置している上下に貫通している第一スライド溝１３が設置されており、前記第一スライド溝１３と前記第二チャンバ３７の間には第五回転軸３９が回転できるように設置されており、前記第二チャンバ３７の中に位置する前記第五回転軸３９には第二円盤３８が固定的に設置されており、前記第二円盤３８の中には右へ開口する円形溝４０が設置されており、前記円形溝４０の内側には前記歯止め４７とラチェットによって係合される内ラチェット４１が固定的に設置されており、前記第一スライド溝１３の中の前記第五回転軸３９にはカム１４が固定的に設置されており、前記第一スライド溝１３の底端にはスライドボード１５がスライドできるように設置されており、前記スライドボード１５の右端にはクッション２０が固定的に設置されており、前記第一スライド溝１３の左側端壁には第二スライド溝１８が連通して設置されており、前記第二スライド溝１８の中には前記スライドボード１５と固定的に接続される第一スライダ１７がスライドできるように設置されており、前記第一スライドブロック１７と前記第二スライド溝１８の底壁の間には第二撥条１９が固定的に接続される。
【００１３】
有益なように、前記第一チャンバ３０の底壁の中には上下に伸びている第三スライド溝６３が設置されており、前記第三スライド溝６３の中には第一磁石ブロック６２がスライドできるように設置されており、前記第一磁石ブロック６２と前記第三スライド溝６３の頂壁との間には第三撥条６４が固定的に接続され、前記第三スライド溝６３には上下に伸びている第五スライド溝５３が左右に対称的に連通するように設置されており、前記第五スライド溝５３の中には金属ブロック５１がスライドできるように設置されており、前記第五スライド溝５３の末端には第二磁石ブロック５０が固定的に設置されており、前記金属ブロック５１の中には上下に貫通する貫通穴５２が設置されており、前記第三スライド溝６３の底壁の中には左右に伸びている第六スライド溝５５が設置されており、前記第六スライド溝５５の中には第二スライダ５８がスライドできるように設置されており、前記第二スライダ５８と前記第六スライド溝５５の左側端壁との間には第四撥条５６が固定的に接続されており、前記第二スライダ５８と前記第六スライド溝５５の右端壁との間には第五撥条５７が固定的に接続されており、前記第六スライド溝５５と前記第五スライド溝５３との間には上下に伸びている第七スライド溝４９が連通して設置されており、前記第七スライド溝４９の頂端にはスイッチ４８が固定的に設置されており、左右の二つの前記スイッチ４８は前記駆動モーター４２の正逆回転を制御でき、前記第七スライド溝４９の中には斜めブロック５４がスライドできるように設置されており、前記第七スライド溝４９において前記第三スライド溝６３から離れている側の内壁の中には上下に伸びている第八スライド溝６０が設置されており、前記第八スライド溝６０の中には前記斜めブロック５４と固定的に接続される第三スライダ５９がスライドできるように設置されており、前記第三スライダ５９と前記第八スライド溝６０の頂壁との間には第六撥条６１が固定的に接続される。
【００１４】
これから、付図１−５及び上記に説明した本願発明の顔保護ヘルメットの具体的な構造を参考してその使い方を詳しく紹介する：
【００１５】
まず、初期状態の時、第二スライダ５８が二つの斜めブロック５４の間に位置し、第一磁石ブロック６２は金属ブロック５１を吸引しない；
【００１６】
使用者が後へ転んでしまう時、第二スライダ５８が慣性によって左端の斜めブロック５４を押え、斜めブロック５４が上へスライドでき、それと同時に、後へ転ぶ状況に伴って下への加速度が発生し、第一磁石ブロック６５が慣性によって上へスライドし、第一磁石ブロック６２が金属ブロック５１を吸引し、金属ブロック５１は第一磁石ブロック６２に近づき貫通穴５２を第七スライド溝４９と連通させ、その時、斜めブロック５４は上へスライドして左側のスイッチ４８を押え、左側のスイッチ４８は駆動モーター４２を起動させて正回転させ、駆動モーター４２が正回転する時に、歯止め４７が正回転して内ラチェット４１を回転連動させなく、クッション２０が下へスライドして顔を遮らなく、駆動モーター４２が第二傘歯車３４を回転連動させ、第二傘歯車３４が第一傘歯車３２を回転連動させ、第一傘歯車３２が転輪３１を回転連動させ、転輪３１は第二弓形磁石２６を時計回りに回転連動させ、第二弓形磁石２６は硬い殻２９を使用者の後頭に時計回りに回転連動させ、転ぶ時に後頭が受ける衝撃を緩和する；
【００１７】
使用者が前へ転ぶ時に、第二スライダ５８は右側の斜めブロック５４を押え、右側の斜めブロック５４は右側のスイッチ４８を押え、右側のスイッチ４８は駆動モーター４２を起動させて逆転させ、その時、硬い殻２９は使用者の額に反時計回りに回転して受ける衝撃を緩和し、それと同時に歯止め４７が逆回転して内ラチェット４１を回転連動させ、内ラチェット４１がカム１４を回転連動させ、カム１４がスライドボード１５を押え、スライドボード１５が下へスライドし、スライドボード１５はクッション２０を下へスライド連動させて面部を遮り、クッション２０は人の顔の形を合わせて保護する。
【００１８】
以上により、本発明の顔保護ヘルメットは反応が早いであり、保護性能書強いであり、安全で頼ましい；同時に、本発明の装置の修理コストが低く、部品換えが簡単であり、実用性が強い。
【手続補正書】
【提出日】令和1年10月8日(2019.10.8)
【手続補正１】
【補正対象書類名】特許請求の範囲
【補正対象項目名】全文
【補正方法】変更
【補正の内容】
【特許請求の範囲】
【請求項１】
ヘルメットを含み、前記ヘルメットの内側には頭チャンバが設置されており、前記ヘルメットの外側には外へ開口する弓形スライド溝が設置されており、前記弓形スライド溝の内側端壁には第一弓形磁石が固定的に設置されており、前記第一弓形磁石の頂端には第一ストッパが固定的に設置されており、前記弓形スライド溝の外側には弓形ブロックがスライドできるように設置されており、前記弓形ブロックの内側端面には前記第一弓形磁石と互いに吸引する第二弓形磁石が固定的に設置されており、前記第二弓形磁石の内側端面の左右両端には第二ストッパがそれぞれ固定的に設置されており、前記弓形ブロックの外側には硬い殻が設置されており、前記硬い殻と前記弓形ブロックの外端面との間には緩和撥条が固定的に接続されており、前記ヘルメットの右側端壁の中には前記弓形スライド溝と連通する第一チャンバが設置されており、前記第一チャンバの前後端壁の間には第一回転軸が回転できるように設置されており、前記第一回転軸には転輪及び前記転輪の前側に位置する第一傘歯車が固定的に設置されており、前記転輪と前記第二弓形磁石とが摩擦によって係合されており、前記第一チャンバの左側端壁の中には駆動モーターが固定的に設置されており、前記駆動モーターの右端には第二回転軸が伝動できるように接続されており、前記第二回転軸には前記第一傘歯車と噛み合う第二傘歯車が固定的に設置されており、前記駆動モーターの左側において前記ヘルメットの中には第二チャンバが設置されており、前記駆動モーターの左端には第三回転軸が伝動できるように接続されており、前記第三回転軸には第一円盤が固定的に設置されており、前記第一円盤の左端には第四回転軸が回転できるように設置されており、前記第四回転軸には歯止めが固定的に設置されており、前記歯止めと前記第一円盤の左側端面の間には第一撥条が固定的に接続されており、前記ヘルメットの中には前記第二チャンバの左側に位置している上下に貫通している第一スライド溝が設置されており、前記第一スライド溝と前記第二チャンバの間には第五回転軸が回転できるように設置されており、前記第二チャンバの中に位置する前記第五回転軸には第二円盤が固定的に設置されており、前記第二円盤の中には右へ開口する円形溝が設置されており、前記円形溝の内側には前記歯止めとラチェットによって係合される内ラチェットが固定的に設置されており、前記第一スライド溝の中の前記第五回転軸にはカムが固定的に設置されており、前記第一スライド溝の底端にはスライドボードがスライドできるように設置されており、前記スライドボードの右端にはクッションが固定的に設置されており、前記第一スライド溝の左側端壁には第二スライド溝が連通して設置されており、前記第二スライド溝の中には前記スライドボードと固定的に接続される第一スライダがスライドできるように設置されており、前記第一スライダと前記第二スライド溝の底壁の間には第二撥条が固定的に接続され、
前記第一チャンバの底壁の中には上下に伸びている第三スライド溝が設置されており、前記第三スライド溝の中には第一磁石ブロックがスライドできるように設置されており、前記第一磁石ブロックと前記第三スライド溝の頂壁との間には第三撥条が固定的に接続され、前記第三スライド溝には上下に伸びている第五スライド溝が左右に対称的に連通するように設置されており、前記第五スライド溝の中には金属ブロックがスライドできるように設置されており、前記第五スライド溝の末端には第二磁石ブロックが固定的に設置されており、前記金属ブロックの中には上下に貫通する貫通穴が設置されており、前記第三スライド溝の底壁の中には左右に伸びている第六スライド溝が設置されており、前記第六スライド溝の中には第二スライダがスライドできるように設置されており、前記第二スライダと前記第六スライド溝の左側端壁との間には第四撥条が固定的に接続されており、前記第二スライダと前記第六スライド溝の右端壁との間には第五撥条が固定的に接続されており、前記第六スライド溝と前記第五スライド溝との間には上下に伸びている第七スライド溝が連通して設置されており、前記第七スライド溝の頂端にはスイッチが固定的に設置されており、左右の二つの前記スイッチは前記駆動モーターの正逆回転を制御でき、前記第七スライド溝の中には斜めブロックがスライドできるように設置されており、前記第七スライド溝において前記第三スライド溝から離れている側の内壁の中には上下に伸びている第八スライド溝が設置されており、前記第八スライド溝の中には前記斜めブロックと固定的に接続される第三スライダがスライドできるように設置されており、前記第三スライダと前記第八スライド溝の頂壁との間には第六撥条が固定的に接続され、
第二スライダが斜めブロックを連動させて上にスライドさせ、左右二つの斜めブロックがそれぞれ左右二つのスイッチを押圧し、駆動モータを回転又は逆方向に回転させ、
使用者が後へ転んでしまう時、第二スライダが慣性によって左端の斜めブロックを押え、斜めブロックが上へスライドでき、それと同時に、後へ転ぶ状況に伴って下への加速度が発生し、第一磁石ブロックが慣性によって上へスライドし、第一磁石ブロックが金属ブロックを吸引し、金属ブロックは第一磁石ブロックに近づき貫通穴を第七スライド溝と連通させ、その時、斜めブロックは上へスライドして左側のスイッチを押え、左側のスイッチは駆動モーターを起動させて正回転させ、駆動モーターが正回転する時に、歯止めが正回転して内ラチェットを回転連動させなく、クッションが下へスライドして顔を遮らなく、駆動モーターが第二傘歯車を回転連動させ、第二傘歯車が第一傘歯車を回転連動させ、第一傘歯車が転輪を回転連動させ、転輪は第二弓形磁石を時計回りに回転連動させ、第二弓形磁石は硬い殻を使用者の後頭に時計回りに回転連動させ、転ぶ時に後頭が受ける衝撃を緩和し、
使用者が前へ転ぶ時に、第二スライダは右側の斜めブロックを押え、右側の斜めブロックは右側のスイッチを押え、右側のスイッチは駆動モーターを起動させて逆転させ、その時、硬い殻は使用者の額に反時計回りに回転して受ける衝撃を緩和し、それと同時に歯止めが逆回転して内ラチェットを回転連動させ、内ラチェットがカムを回転連動させ、カムがスライドボードを押え、スライドボードが下へスライドし、スライドボードはクッションを下へスライド連動させて面部を遮り、クッションは人の顔の形を合わせて保護することを特徴とする顔保護ヘルメット。
【手続補正２】
【補正対象書類名】明細書
【補正対象項目名】全文
【補正方法】変更
【補正の内容】
【発明の詳細な説明】
【技術分野】
【０００１】
本発明は保護用品の分野を取り上げて、具体的には顔保護ヘルメットである。
【背景技術】
【０００２】
一般的なヘルメットは自身の内部の結構と材料の強度によって頭を保護するのであり、人の頭が受ける衝撃を有効的に緩和できず、同時に、前の顔を保護するために、単独な保護マスクをかぶるのは視線の妨げになり、大変不便である。そのため、顔保護ヘルメットを設計して前記問題を解決する必要がある。
【先行技術文献】
【特許文献】
【０００３】
【特許文献１】中国特許出願公開第１０５７２５３３５号明細書
【発明の概要】
【発明が解決しようとする課題】
【０００４】
本発明が解決すべきの技術問題は顔保護ヘルメットを提供し、上記現有技術の問題を解決できる。
【課題を解決するための手段】
【０００５】
本発明の顔保護ヘルメットは、ヘルメットを含み、前記ヘルメットの内側には頭チャンバが設置されており、前記ヘルメットの外側には外へ開口する弓形スライド溝が設置されており、前記弓形スライド溝の内側端壁には第一弓形磁石が固定的に設置されており、前記第一弓形磁石の頂端には第一ストッパが固定的に設置されており、前記弓形スライド溝の外側には弓形ブロックがスライドできるように設置されており、前記弓形ブロックの内側端面には前記第一弓形磁石と互いに吸引する第二弓形磁石が固定的に設置されており、前記第二弓形磁石の内側端面の左右両端には第二ストッパがそれぞれ固定的に設置されており、前記弓形ブロックの外側には硬い殻が設置されており、前記硬い殻と前記弓形ブロックの外端面との間には緩和撥条が固定的に接続されており、前記ヘルメットの右側端壁の中には前記弓形スライド溝と連通する第一チャンバが設置されており、前記第一チャンバの前後端壁の間には第一回転軸が回転できるように設置されており、前記第一回転軸には転輪及び前記転輪の前側に位置する第一傘歯車が固定的に設置されており、前記転輪と前記第二弓形磁石とが摩擦によって係合されており、前記第一チャンバの左側端壁の中には駆動モーターが固定的に設置されており、前記駆動モーターの右端には第二回転軸が伝動できるように接続されており、前記第二回転軸には前記第一傘歯車と噛み合う第二傘歯車が固定的に設置されており、前記駆動モーターの左側において前記ヘルメットの中には第二チャンバが設置されており、前記駆動モーターの左端には第三回転軸が伝動できるように接続されており、前記第三回転軸には第一円盤が固定的に設置されており、前記第一円盤の左端には第四回転軸が回転できるように設置されており、前記第四回転軸には歯止めが固定的に設置されており、前記歯止めと前記第一円盤の左側端面の間には第一撥条が固定的に接続されており、前記ヘルメットの中には前記第二チャンバの左側に位置している上下に貫通している第一スライド溝が設置されており、前記第一スライド溝と前記第二チャンバの間には第五回転軸が回転できるように設置されており、前記第二チャンバの中に位置する前記第五回転軸には第二円盤が固定的に設置されており、前記第二円盤の中には右へ開口する円形溝が設置されており、前記円形溝の内側には前記歯止めとラチェットによって係合される内ラチェットが固定的に設置されており、前記第一スライド溝の中の前記第五回転軸にはカムが固定的に設置されており、前記第一スライド溝の底端にはスライドボードがスライドできるように設置されており、前記スライドボードの右端にはクッションが固定的に設置されており、前記第一スライド溝の左側端壁には第二スライド溝が連通して設置されており、前記第二スライド溝の中には前記スライドボードと固定的に接続される第一スライダがスライドできるように設置されており、前記第一スライダと前記第二スライド溝の底壁の間には第二撥条が固定的に接続される。
【０００６】
更なる技術方案、前記第一チャンバの底壁の中には上下に伸びている第三スライド溝が設置されており、前記第三スライド溝の中には第一磁石ブロックがスライドできるように設置されており、前記第一磁石ブロックと前記第三スライド溝の頂壁との間には第三撥条が固定的に接続され、前記第三スライド溝には上下に伸びている第五スライド溝が左右に対称的に連通するように設置されており、前記第五スライド溝の中には金属ブロックがスライドできるように設置されており、前記第五スライド溝の末端には第二磁石ブロックが固定的に設置されており、前記金属ブロックの中には上下に貫通する貫通穴が設置されており、前記第三スライド溝の底壁の中には左右に伸びている第六スライド溝が設置されており、前記第六スライド溝の中には第二スライダがスライドできるように設置されており、前記第二スライダと前記第六スライド溝の左側端壁との間には第四撥条が固定的に接続されており、前記第二スライダと前記第六スライド溝の右端壁との間には第五撥条が固定的に接続されており、前記第六スライド溝と前記第五スライド溝との間には上下に伸びている第七スライド溝が連通して設置されており、前記第七スライド溝の頂端にはスイッチが固定的に設置されており、左右の二つの前記スイッチは前記駆動モーターの正逆回転を制御でき、前記第七スライド溝の中には斜めブロックがスライドできるように設置されており、前記第七スライド溝において前記第三スライド溝から離れている側の内壁の中には上下に伸びている第八スライド溝が設置されており、前記第八スライド溝の中には前記斜めブロックと固定的に接続される第三スライダがスライドできるように設置されており、前記第三スライダと前記第八スライド溝の頂壁との間には第六撥条が固定的に接続される。
【発明の効果】
【０００７】
本発明の有益な効果は下記の通りである：
【０００８】
本発明の顔保護ヘルメットは反応が早いであり、保護性能書強いであり、安全で頼ましい。同時に、本発明の装置の修理コストが低く、部品換えが簡単であり、実用性が強い。
【図面の簡単な説明】
【０００９】
【図１】は本発明の顔保護ヘルメットの全体構成模式図であり。
【図２】は図１のＡの拡大構成模式図であり。
【図３】は図１のＢの拡大構成模式図である。
【図４】は図１のＣの拡大構成模式図であり。
【図５】は図１を使用する時に構造の変化後の略図である。
【発明を実施するための形態】
【００１０】
本説明書に公開されるいずれもの特徴、或いは公開されるいずれもの方法或いは過程中の順序は互いに排斥する特徴／或いは順序以外、いかなる方式によって組み合わせる。
【００１１】
以下は図１−５について本発明にを詳しく説明し、その中、便利に叙述するように、現在は後文に出る方位を下記の通りに規定する：後文に出る上下左右前後方向は図１本体の投影関係の上下左右前後方向と一致する。
【００１２】
図１−５が示すように、本発明の顔保護ヘルメットは、ヘルメット２２を含み、前記ヘルメット２２の内側には頭チャンバ２１が設置されており、前記ヘルメット２２の外側には外へ開口する弓形スライド溝２４が設置されており、前記弓形スライド溝２４の内側端壁には第一弓形磁石２３が固定的に設置されており、前記第一弓形磁石２３の頂端には第一ストッパ３６が固定的に設置されており、前記弓形スライド溝２４の外側には弓形ブロック２７がスライドできるように設置されており、前記弓形ブロック２７の内側端面には前記第一弓形磁石２３と互いに吸引する第二弓形磁石２６が固定的に設置されており、前記第二弓形磁石２６の内側端面の左右両端には第二ストッパ２５がそれぞれ固定的に設置されており、前記弓形ブロック２７の外側には硬い殻２９が設置されており、前記硬い殻２９と前記弓形ブロック２７の外端面との間には緩和撥条２８が固定的に接続されており、前記ヘルメット２２の右側端壁の中には前記弓形スライド溝２４と連通する第一チャンバ３０が設置されており、前記第一チャンバ３０の前後端壁の間には第一回転軸３３が回転できるように設置されており、前記第一回転軸３３には転輪３１及び前記転輪３１の前側に位置する第一傘歯車３２が固定的に設置されており、前記転輪３１と前記第二弓形磁石２６とが摩擦によって係合されており、前記第一チャンバ３０の左側端壁の中には駆動モーター４２が固定的に設置されており、前記駆動モーター４２の右端には第二回転軸３５が伝動できるように接続されており、前記第二回転軸３５には前記第一傘歯車３２と噛み合う第二傘歯車３４が固定的に設置されており、前記駆動モーター４２の左側において前記ヘルメットの中には第二チャンバ３７が設置されており、前記駆動モーター４２の左端には第三回転軸４３が伝動できるように接続されており、前記第三回転軸４３には第一円盤４４が固定的に設置されており、前記第一円盤４４の左端には第四回転軸４６が回転できるように設置されており、前記第四回転軸４６には歯止め４７が固定的に設置されており、前記歯止め４７と前記第一円盤４４の左側端面の間には第一撥条４５が固定的に接続されており、前記ヘルメット２２の中には前記第二チャンバ３７の左側に位置している上下に貫通している第一スライド溝１３が設置されており、前記第一スライド溝１３と前記第二チャンバ３７の間には第五回転軸３９が回転できるように設置されており、前記第二チャンバ３７の中に位置する前記第五回転軸３９には第二円盤３８が固定的に設置されており、前記第二円盤３８の中には右へ開口する円形溝４０が設置されており、前記円形溝４０の内側には前記歯止め４７とラチェットによって係合される内ラチェット４１が固定的に設置されており、前記第一スライド溝１３の中の前記第五回転軸３９にはカム１４が固定的に設置されており、前記第一スライド溝１３の底端にはスライドボード１５がスライドできるように設置されており、前記スライドボード１５の右端にはクッション２０が固定的に設置されており、前記第一スライド溝１３の左側端壁には第二スライド溝１８が連通して設置されており、前記第二スライド溝１８の中には前記スライドボード１５と固定的に接続される第一スライダ１７がスライドできるように設置されており、前記第一スライダ１７と前記第二スライド溝１８の底壁の間には第二撥条１９が固定的に接続される。
【００１３】
有益なように、前記第一チャンバ３０の底壁の中には上下に伸びている第三スライド溝６３が設置されており、前記第三スライド溝６３の中には第一磁石ブロック６２がスライドできるように設置されており、前記第一磁石ブロック６２と前記第三スライド溝６３の頂壁との間には第三撥条６４が固定的に接続され、前記第三スライド溝６３には上下に伸びている第五スライド溝５３が左右に対称的に連通するように設置されており、前記第五スライド溝５３の中には金属ブロック５１がスライドできるように設置されており、前記第五スライド溝５３の末端には第二磁石ブロック５０が固定的に設置されており、前記金属ブロック５１の中には上下に貫通する貫通穴５２が設置されており、前記第三スライド溝６３の底壁の中には左右に伸びている第六スライド溝５５が設置されており、前記第六スライド溝５５の中には第二スライダ５８がスライドできるように設置されており、前記第二スライダ５８と前記第六スライド溝５５の左側端壁との間には第四撥条５６が固定的に接続されており、前記第二スライダ５８と前記第六スライド溝５５の右端壁との間には第五撥条５７が固定的に接続されており、前記第六スライド溝５５と前記第五スライド溝５３との間には上下に伸びている第七スライド溝４９が連通して設置されており、前記第七スライド溝４９の頂端にはスイッチ４８が固定的に設置されており、左右の二つの前記スイッチ４８は前記駆動モーター４２の正逆回転を制御でき、前記第七スライド溝４９の中には斜めブロック５４がスライドできるように設置されており、前記第七スライド溝４９において前記第三スライド溝６３から離れている側の内壁の中には上下に伸びている第八スライド溝６０が設置されており、前記第八スライド溝６０の中には前記斜めブロック５４と固定的に接続される第三スライダ５９がスライドできるように設置されており、前記第三スライダ５９と前記第八スライド溝６０の頂壁との間には第六撥条６１が固定的に接続される。
【００１４】
これから、付図１−５及び上記に説明した本願発明の顔保護ヘルメットの具体的な構造を参考してその使い方を詳しく紹介する：
【００１５】
まず、初期状態の時、第二スライダ５８が二つの斜めブロック５４の間に位置し、第一磁石ブロック６２は金属ブロック５１を吸引しない。
【００１６】
使用者が後へ転んでしまう時、第二スライダ５８が慣性によって左端の斜めブロック５４を押え、斜めブロック５４が上へスライドでき、それと同時に、後へ転ぶ状況に伴って下への加速度が発生し、第一磁石ブロック６５が慣性によって上へスライドし、第一磁石ブロック６２が金属ブロック５１を吸引し、金属ブロック５１は第一磁石ブロック６２に近づき貫通穴５２を第七スライド溝４９と連通させ、その時、斜めブロック５４は上へスライドして左側のスイッチ４８を押え、左側のスイッチ４８は駆動モーター４２を起動させて正回転させ、駆動モーター４２が正回転する時に、歯止め４７が正回転して内ラチェット４１を回転連動させなく、クッション２０が下へスライドして顔を遮らなく、駆動モーター４２が第二傘歯車３４を回転連動させ、第二傘歯車３４が第一傘歯車３２を回転連動させ、第一傘歯車３２が転輪３１を回転連動させ、転輪３１は第二弓形磁石２６を時計回りに回転連動させ、第二弓形磁石２６は硬い殻２９を使用者の後頭に時計回りに回転連動させ、転ぶ時に後頭が受ける衝撃を緩和する。
【００１７】
使用者が前へ転ぶ時に、第二スライダ５８は右側の斜めブロック５４を押え、右側の斜めブロック５４は右側のスイッチ４８を押え、右側のスイッチ４８は駆動モーター４２を起動させて逆転させ、その時、硬い殻２９は使用者の額に反時計回りに回転して受ける衝撃を緩和し、それと同時に歯止め４７が逆回転して内ラチェット４１を回転連動させ、内ラチェット４１がカム１４を回転連動させ、カム１４がスライドボード１５を押え、スライドボード１５が下へスライドし、スライドボード１５はクッション２０を下へスライド連動させて面部を遮り、クッション２０は人の顔の形を合わせて保護する。
【００１８】
以上により、本発明の顔保護ヘルメットは反応が早いであり、保護性能書強いであり、安全で頼ましい。同時に、本発明の装置の修理コストが低く、部品換えが簡単であり、実用性が強い。